(57)【要約】【課題】走行機体における運転部の横側方箇所に刈取前処理部が揺動昇降自在に連結されたコンバインにおいて、刈取前処理部の昇降に伴う取前処理部と運転部との干渉を回避できながら、コンバイン全体の前後長さを小に済ませ得るようにする。【解決手段】運転部の前部に位置する左右一対の走行機体上下向きの縦フレーム４２ａ，４２ｂのうち、刈取前処理部１０が位置する側に位置する前処理部側の縦フレーム４２ａを、刈取前処理部１０が位置する側とは反対側に位置する反前処理部側の縦フレーム４２ｂよりも走行機体後方側に配置してある。刈取前処理部１０が下降作業位置から上昇した状態において、刈取前処理部１０の一部分１６ｃ，１７ｃが前処理部側の縦フレーム４２ａの前方で、かつ反前処理部側の縦フレーム４２ｂの横側方に位置する箇所に入り込む。【選択図】図５
2010263853.tif 000002
【特許請求の範囲】
【請求項１】
操縦塔を有した搭乗型の運転部が装備された走行機体を備え、前記走行機体における前記運転部の横側方箇所に刈取前処理部が揺動昇降自在に連結されたコンバインであって、
前記運転部の前部に位置する左右一対の走行機体上下向きの縦フレームのうち、前記刈取前処理部が位置する側に位置する前処理部側の縦フレームを、前記刈取前処理部が位置する側とは反対側に位置する反前処理部側の縦フレームよりも走行機体後方側に配置し、
前記刈取前処理部が下降作業位置から上昇した状態において、前記刈取前処理部の一部分が前記前処理部側の縦フレームの前方で、かつ前記反前処理部側の縦フレームの横側方に位置する箇所に入り込むように構成してあるコンバイン。
【請求項２】
前記操縦塔に前カバーを設け、
前記前カバーの下端側の前記刈取前処理部に対向する側における角部の外面側に、前記刈取前処理部が下降作業位置から上昇した状態において、前記刈取前処理部の一部分が入り込むように配置した凹入部を設けてある請求項１記載のコンバイン。
【請求項３】
前記操縦塔の上端側の機体横外側端部から機体内方向きに前記操縦塔の上端部に位置する運転パネルの上方に延出した固定ハンドルを、この固定ハンドルの延出端が前記運転パネルの走行機体横方向での中間部の上方に位置した片持ち支持の状態で設けてある請求項１又は２記載のコンバイン。
【発明の詳細な説明】
【技術分野】
【０００１】
本発明は、操縦塔を有した搭乗型の運転部が装備された走行機体を備え、前記走行機体における前記運転部の横側方箇所に刈取前処理部が揺動昇降自在に連結されたコンバインに関する。
【背景技術】
【０００２】
上記したコンバインとして、従来、たとえば特許文献１に記載されたものがあった。
特許文献１に記載されたコンバインでは、左右一対のクローラ式の走行装置１，１によって自走する走行機体を備え、走行機体の機体フレーム２の前部に連結された刈取り部１０（刈取前処理部に相当）を備えている。走行機体は、運転座席２１及び操縦塔２４が装備された運転部２０を備え、刈取り部１０は、機体フレーム２に運転部２０の横側方で上下揺動自在に支持されている。
【先行技術文献】
【特許文献】
【０００３】
【特許文献１】特開２００９−４７号公報
【発明の概要】
【発明が解決しようとする課題】
【０００４】
上記したコンバインでは、刈取前処理部は、運転部の横側方に位置する走行機体横向きの軸芯まわりに揺動して上昇非作業位置と下降作業位置とに昇降する。
刈取前処理部が下降作業位置に下降した状態で、刈取前処理部の横一端側が運転部の前方に位置するように構成すれば、刈取前処理部の全体としての処理幅の大きさを走行機体の全幅に近い大きさにでき、中割り刈り形態での作業を行うに当たり、走行装置による植立穀稈の踏み付けを回避しやすいなど有利である。殊にこの場合、刈取前処理部の昇降に伴って刈取前処理部の一部分（以下、刈取前処理部分と呼称する。）が運転部の付近を昇降することから、刈取前処理部分と運転部との干渉を回避しながら刈取前処理部を昇降できるようにする必要がある。
【０００５】
走行機体に刈取前処理部を支持させるよう設ける支持部を、刈取前処理部の昇降に伴う刈取前処理部分の位置変化を考慮して前方側に延出させて設けるか、あるいは、刈取前処理部に走行機体に対して連結するよう設ける連結部を、刈取前処理部の昇降に伴う刈取前処理部分の位置変化を考慮して後方側に延出させて設けると、刈取前処理部の昇降に伴う刈取前処理部分と運転部との干渉を回避することができる。
この場合、走行機体の支持部あるいは刈取前処理部の連結部が前方側あるいは後方側に延出することのために、刈取前処理部が走行機体から前方に突出する長さが大になり、コンバイン全体の前後方向での長さが大になる。
【０００６】
本発明の目的は、刈取前処理部の昇降に伴う取前処理部の一部分と運転部との干渉を回避できるものでありながら、コンバイン全体の前後長さを小に済ませることができるコンバインを提供することにある。
【課題を解決するための手段】
【０００７】
本第１発明は、操縦塔を有した搭乗型の運転部が装備された走行機体を備え、前記走行機体における前記運転部の横側方箇所に刈取前処理部が揺動昇降自在に連結されたコンバインにおいて、
前記運転部の前部に位置する左右一対の走行機体上下向きの縦フレームのうち、前記刈取前処理部が位置する側に位置する前処理部側の縦フレームを、前記刈取前処理部が位置する側とは反対側に位置する反前処理部側の縦フレームよりも走行機体後方側に配置し、
前記刈取前処理部が下降作業位置から上昇した状態において、前記刈取前処理部の一部分が前記前処理部側の縦フレームの前方で、かつ前記反前処理部側の縦フレームの横側方に位置する箇所に入り込むように構成してある。
【０００８】
本第１発明の構成によると、上記した如く走行機体に刈取前処理部の支持のために設ける支持部を前方側に延出させる場合、および刈取前処理部に走行機体に対する連結のために設ける連結部を後方側に延出させる場合に比して、刈取前処理部を走行機体に近づけて連結しても、刈取前処理部の一部分と運転部との干渉を回避しながら刈取前処理部を下降作業位置と上昇非作業位置とに揺動昇降させることができる。
つまり、刈取前処理部が下降作業位置と上昇非作業用位置とに昇降する際、刈取前処理部の一部分が前処理部側の縦フレームの前方で、かつ反前処理部側の縦フレームの横側方に位置する箇所を通るから、刈取前処理部の下降作業位置と上昇非作業位置との昇降に伴う刈取前処理部の一部分と運転部との干渉を回避することができる。したがって、刈取前処理部の一部分が前記箇所に入り込む分、刈取前処理部を走行機体により近づけて連結することができる。
【０００９】
したがって、刈取前処理部を走行機体に近づけて連結してコンバイン全体としての前後長さを短く済ませたコンパクトなコンバインを得ることができる。
【００１０】
本第２発明は、前記操縦塔に前カバーを設け、前記前カバーの下端側の前記刈取前処理部に対向する側における角部の外面側に、前記刈取前処理部が下降作業位置から上昇した状態において、前記刈取前処理部の一部分が入り込むように配置した凹入部を設けてある。
【００１１】
本第２発明の構成によると、刈取前処理部が下降作業位置と上昇非作業用位置とに昇降する際、刈取前処理部の一部分が前カバーの凹入部を通るから、刈取前処理部の下降作業位置と上昇非作業位置との昇降に伴う刈取前処理部の一部分と運転部との干渉を回避することができる。したがって、刈取前処理部の一部分が前記箇所に入り込む分、刈取前処理部を走行機体により近づけて連結することができる。
【００１２】
したがって、運転部への塵埃の入り込みなどを前カバーによって防止することができるものでありながら、刈取前処理部を走行機体に近づけて連結してコンバイン全体としての前後長さを短く済ませたコンパクトなコンバインを得ることができる。
【００１３】
本第３発明は、前記操縦塔の上端側の機体横外側端部から機体内方向きに前記操縦塔の上端部に位置する運転パネルの上方に延出した固定ハンドルを、この固定ハンドルの延出端が前記運転パネルの走行機体横方向での中間部の上方に位置した片持ち支持の状態で設けてある。
【００１４】
本第３発明の構成によると、運転部に対する乗降や操縦を行なう際など、固定ハンドルを支持することにより、体勢の安定化を図って楽に乗り降りや操縦操作を行うことができる。
固定ハンドルは、運転パネルの中間部の上方までしか延出しておらず、運転パネルを見る際の障害物になりにくい。
【００１５】
刈取前処理部を走行機体に近づけて連結した場合、固定ハンドルが運転パネルの上方に運転パネルの全幅にわたって位置していると、固定ハンドルは、運転部から刈取前処理部の前端部を見通す際の障害物になりやすい。つまり、刈取前処理部を走行機体に近づけると、刈取前処理部の前端部が運転部に近づき、刈取前処理部の運転部側とは反対側における前端部を見る際の視界に固定ハンドルが入りやすい。
【００１６】
本第３発明の構成によると、固定ハンドルの延出端が運転パネルの中間部の上方に位置しているものだから、刈取前処理部の前端部が運転部に近づいても、刈取前処理部の運転部側とは反対側における前端部を見る際の視界に固定ハンドルが入りにくい。
【００１７】
したがって、固定ハンドルを利用することによって乗降や操縦を楽に行ないやすいものでありながら、かつ刈取前処理部を走行機体に極力近づけることができるものでありながら、運転パネルおよび前処理部の前端部を見るのに固定ハンドルが障害物になりにくくて視やすく、この面からも操縦や作業を行いやすいコンバインを得ることができる。
【図面の簡単な説明】
【００１８】
【図１】コンバインの全体を示す左側面図である。
【図２】コンバインの全体を示す平面図である。
【図３】コンバインの全体を示す右側面図である。
【図４】コンバインの全体を示す正面図である。
【図５】刈取前処理部の概略平面図である。
【図６】刈取前処理部の前部を示す平面図である。
【図７】刈取前処理部における掻き込み輪体および掻き寄せ無端ベルトの配設構造を示す平面図である。
【図８】刈取前処理部における掻き込み輪体および掻き寄せ無端ベルトの配設構造を示す正面図である。
【図９】刈取前処理部における掻き込み輪体および掻き寄せ無端ベルトの配設構造を示す側面図である。
【図１０】運転部フレームを示す平面図である。
【図１１】運転部フレームを示す左側面図である。
【図１２】運転部フレームを示す正面図である。
【図１３】運転部を示す平面図である。
【図１４】運転部の前部を示す右側面図である。
【図１５】操縦塔を示す縦断正面図である。
【図１６】運転部を示す斜視図である。
【図１７】運転部を示す左側面図である。
【発明を実施するための形態】
【００１９】
以下、本発明の実施の形態を図面に基づいて説明する。
図１は、本発明の実施の形態に係るコンバインの全体を示す左側面図である。図２は、本発明の実施の形態に係るコンバインの全体を示す平面図である。図３は、本発明の実施の形態に係るコンバインの全体を示す右側面図である。図４は、本発明の実施の形態に係るコンバインの全体を示す正面図である。これらの図に示すように、本発明の実施の形態に係るコンバインは、左右一対のクローラ式の走行装置１，１が装備された走行機体を備え、この走行機体の機体フレーム２の前端部に連結された刈取前処理部１０を備え、走行機体の機体フレーム２の後部側に走行機体横方向に並べて設けた脱穀装置３と穀粒袋詰め部４を備えて構成してある。
【００２０】
このコンバインは、稲、麦などの収穫作業を行なう。
すなわち、走行機体は、機体フレーム２の前端側の右端部に設けたエンジン５を備え、このエンジン５の出力によって左右一対の走行装置１，１を駆動して自走する。走行機体は、エンジン５の上方に設けた運転座席２１が装備された搭乗型の運転部２０を備えており、この運転部２０に搭乗して操縦するよう搭乗型になっている。
【００２１】
刈取前処理部１０の前処理部フレーム１１は、走行機体の機体フレーム２に運転部２０の左横側方箇所で走行機体横向きの軸芯Ｐまわりに上下揺動自在に連結されている。
【００２２】
刈取前処理部１０は、前処理部フレーム１１が昇降シリンダ６（図１参照）によって揺動操作されることにより、刈取前処理部１０の前端部に走行機体横方向に並んで位置する三つの分草具１２が地面の近くまで下降した下降作業位置と、各分草具１２が地面から高く上昇した上昇非作業位置とに昇降する。
【００２３】
刈取前処理部１０を下降作業位置に下降させて走行機体を走行させると、刈取前処理部１０は、植立穀稈を引き起こすとともに刈り取り、刈取穀稈を脱穀装置３の脱穀フィードチェーン３ａの始端部に供給する。脱穀装置３は、脱穀フィードチェーン３ａによって刈取穀稈の株元側を挟持して走行機体後方側に搬送し、これによって刈取穀稈の穂先側を扱室（図示せず）に供給して脱穀処理する。
【００２４】
図３に示すように、穀粒袋詰め部４は、脱穀装置３の穀粒搬出部に始端部が連通した揚穀装置４ａ、この揚穀装置４ａの吐出部に投入口が連通した穀粒タンク４ｂ、この穀粒タンク４ｂの底部に走行機体前後方向に並べて設けた二つの袋詰めホッパー部４ｃ，４ｃを備えている。
【００２５】
すなわち、穀粒袋詰め部４は、脱穀装置３の選別部（図示せず）によって単粒化状態になったものとして選別処理された脱穀粒を、揚穀装置４ａによって穀粒タンク４ｂに投入して穀粒タンク４ｂによって回収して貯留する。各袋詰めホッパー部４ｃは、これの吐出口４ｄに籾袋が装着されて吐出口４ｄが開き操作されることにより、穀粒タンク４ｂに貯留された脱穀粒を自然流出によって籾袋に投入する。
【００２６】
刈取前処理部１０について詳述する。
図１、図６に示すように、刈取前処理部１０の前処理部フレーム１１は、機体フレーム２に上下揺動自在に支持された伝動ケースに兼用のメインフレーム１１ａを備え、このメインフレーム１１ａの先端部から走行機体前方向きに延出した三本の分草具支持杆１１ｂを備えて構成してある。三本の分草具支持杆１１ｂは、走行機体横方向に所定間隔を隔てて並んでおり、隣り合う一対の分草具支持杆１１ｂ、１１ｂによって一つの引起し経路１３を形成し、全体として二つの引起し経路１３を形成している。
【００２７】
図６は、刈取前処理部１０の前部を示す平面図である。この図および図１，２，４，５に示すように、刈取前処理部１０は、前記三つの分草具１２を備える他、分草具１２の後方で各引起し経路１３に設けた引起し装置１４を備え、引起し装置１４の下端側の後方に設けたバリカン形の刈取装置１５を備え、刈取装置１５の上方に設けた左右一対の掻き込み輪体１６ａ，１６ｂおよび左右一対の掻き寄せ無端ベルト１７ａ，１７ｂを備え、左右一対の掻き込み輪体１６ａ，１６ｂの上方に搬送始端部が位置した供給装置１８を備えており、４条までの植立穀稈の引起しおよび刈取処理と、刈取穀稈の脱穀装置３への供給とを行なう。
【００２８】
すなわち、隣り合う一対の分草具１２，１２の先端どうしの間隔を、２条の植立穀稈の導入が可能な間隔に設定してあり、隣り合う一対の分草具１２，１２は、１条あるいは２条の植立穀稈を対応する引起し経路１３に導入する。図４に示すように、三つの分草具１２のうちの最も運転部側に位置する分草具１２の先端の位置と、左右一対の走行装置１，１のうちの運転部２０が位置する側に位置する走行装置１におけるクローラベルト１ａの走行機体横方向での外側端の位置とを走行機体横方向でほぼ一致させ、三つの分草具１２のうちの最も運転部側と反対側に位置する分草具１２の先端の位置と、左右一対の走行装置１，１のうちの運転部２０が位置する側とは反対側に位置する走行装置１におけるクローラベルト１ａの走行機体横方向での外側端の位置とを走行機体横方向で一致させてある。
すなわち、刈取前処理部１０は、中割り刈り形態での作業の場合、各引起し経路１３に２条の植立穀稈を導入して４条の植立穀稈の刈取りを行ない、両外側の分草具１２の先端とクローラベルト１ａとの位置関係により、刈取前処理部１０の両横側に位置する植立穀稈の踏み付けを回避しやすくする。
【００２９】
各引起し装置１４は、上端側ほどやや後方側に位置した傾斜姿勢の引起しケース１４ａ、およびこの引起しケース１４ａから横側に突出して引起しケース１４ａに沿って上昇移送される複数の引起し爪１４ｂを備えており、対応する引起し経路１３に導入された植立穀稈を引起し爪１４ｂによってすき上げることによって引起し処理する。
【００３０】
図７は、刈取前処理部１０における掻き込み輪体１６ａ，１６ｂおよび掻き寄せ無端ベルト１７ａ，１７ｂの配設構造を示す平面図である。図８は、刈取前処理部１０における掻き込み輪体１６ａ，１６ｂおよび掻き寄せ無端ベルト１７ａ，１７ｂの配設構造を示す正面図である。これらの図及び図６に示すように、各掻き込み輪体１６ａ，１６ｂは、一体回転自在に周設された複数の掻き込み爪１６ｃを備えている。左右一対の掻き込み輪体１６ａ，１６ｂの一方の掻き込み輪体１６ｂは、メインフレーム１１ａに駆動自在に支持され、他方の掻き込み輪体１６ａは、メインフレーム１１ａに遊転自在に支持されている。遊転側の掻き込み輪体１６ａは、これの掻き込み爪１６ｃと駆動側の掻き込み輪体１６ｂの掻き込み爪１６ｃとが噛み合って左右一対の掻き込み輪体１６ａ，１６ｂを連動させていることにより、駆動側の掻き込み輪体１６ｂの駆動力を伝達されて駆動される。各掻き寄せ無端ベルト１７ａ，１７ｂは、対応する掻き寄せ輪体１６ａ，１６ｂに一体回転自在に設けた駆動プーリ３０と、ベルトカバー３１の先端部に回転自在に支持された遊転プーリ３２とに巻回されており、駆動プーリ３０によって駆動される。各掻き寄せ無端ベルト１７ａ，１７ｂは、これの回転方向に並べて一体成形された複数本の掻き寄せアーム１７ｃを備えている。
【００３１】
図９は、刈取前処理部１０における掻き込み輪体１６ａ，１６ｂおよび掻き寄せ無端ベルト１７ａ，１７ｂの配設構造を示す側面図である。この図及び図７に示すように、各掻き込み輪体１６ａ，１６ｂの前端側、および各掻き寄せ無端ベルト１７ａ，１７ｂの始端側は、刈取装置１５の刃先１５ａよりも前方に突出しており、植立状態の穀稈の株元側に作用する。
【００３２】
つまり、左側の掻き寄せ無端ベルト１７ａおよび左側の掻き込み輪体１６ａは、左側の引起し装置１４によって引起し処理されている植立穀稈の株元側に掻き寄せアーム１７ｃあるいは掻き込み爪１６ｃを作用させて、左側の引起し装置１４が作用している植立穀稈の株元側を、左右一対の掻き込み輪体１６ａ，１６ｂの噛み合い箇所Ｚ（図７参照）に向けて横送りしながら刈取装置１５に掻き寄せる。右側の掻き寄せ無端ベルト１７ｂおよび右側の掻き込み輪体１６ｂは、右側の引起し装置１４によって引起し処理されている植立穀稈の株元側に掻き寄せアーム１７ｃあるいは掻き込み爪１６ｃを作用させて、右側の引起し装置１４が作用している植立穀稈の株元側を、左右一対の掻き込み輪体１６ａ，１６ｂの噛み合い箇所Ｚに向けて横送りしながら刈取装置１５に掻き寄せる。
【００３３】
これにより、刈取装置１５は、左右の引起し装置１４によって引き起こし処理されている植立穀稈を株元側で刈り取る。
【００３４】
左右一対の掻き寄せ無端ベルト１７ａ，１７ｂおよび左右一対の掻き込み輪体１６ａ，１６ｂは、刈取装置１５によって刈り取り処理された刈り取り穀稈の株元側に掻き寄せアーム１７ｃあるいは掻き込み爪１６ｃを引き続き作用させ、刈取穀稈の株元側を刈取装置１５の後方に送り込んで供給装置１８の搬送始端部に供給する。
【００３５】
図１，５に示すように、供給装置１８は、刈取穀稈の株元側を無端回動チェーン１８ａによって挟持搬送する株元側搬送装置１８ｂと、刈取穀稈の穂先側を係止アーム１８ｃによって係止搬送する穂先側搬送装置１８ｄとにより、刈取装置１５からの刈取穀稈を刈取前処理部１０の横外側向きにかつ後方向きに搬送して脱穀装置３の脱穀フィードチェーン３ａの搬送始端部に供給する。
【００３６】
図５，６に示す中ガイド杆３５は、中央に位置する分草具支持杆１１ｂの近くに位置する植立穀稈の株元側を掻き込み輪体１６ａ，１６ｂおよび掻き寄せ無端ベルト１７ａ，１７ｂに案内する。図６，７に示す左ガイド杆３６は、左側の掻き寄せ無端ベルト１７ａおよび掻き込み輪体１６ａによる搬送経路を形成している。図６，７に示す右ガイド杆３７は、右側の掻き寄せ無端ベルト１６ｂおよび左右の掻き込み輪体１６ａ，１６ｂによる搬送経路を形成している。左ガイド杆３６および右ガイド杆３７は、搬送される穀稈のボリュームの変化によって弾性変形してボリューム変化を吸収するようにバネ鋼材で成る帯板によって構成してある。
【００３７】
図２，４に示すように、刈取前処理部１０は、下降作業位置に下降した状態において刈取前処理部１０の右側端部が運転部２０の前方に位置する状態で構成されている。すなわち、刈取前処理部１０の全体としての処理幅の大きさが左右の走行装置１，１のクローラベルト１ａの外側端どうしの間隔に近い大きさとなり、刈取前処理部１０は、中割り刈り形態での作業を、クローラベルト１ａによる植立穀稈の踏み付けを回避しやすい状態で行なわせる。
【００３８】
図２，４に示すように、刈取前処理部１０は、中央に位置する分草具支持杆１１ｃから上方向きに延出した分草バー３９を備えている。この分草バー３９は、左側の引起し経路１３に導入された植立穀稈の株元側と、右側の引起し経路１３に導入された植立穀稈の株元側とを押し分けて分離させる。図４に示す連結杆３８は、左右一対の引起し装置１４，１４の上端側を連結している。
【００３９】
走行機体の運転部２０について詳述する。
図１０は、運転部２０が備える運転部フレーム４０を示す平面図である。図１１は、運転部２０が備える運転部フレーム４０を示す左側面図である。図１２は、運転部２０が備える運転部フレーム４０を示す正面図である。これらの図に示すように、運転部２０が備える運転部フレーム４０は、運転部２０の底部に位置する左右一対の走行機体前後向きのメインフレーム４１ａ，４１ｂを備え、運転部２０の前端部に位置する左右一対の走行機体上下向きの縦フレーム４２ａ，４２ｂを備え、運転部２０の前端部にこの前端部のほぼ全幅にわたって位置する板金製の板フレーム４３を備え、運転部２０の前端部と横側部とにわたって位置する上フレーム４４を備え、運転部２０の横側部に走行機体前後方向に沿って位置するパネル支持フレーム４５を備えて構成してある。
【００４０】
左右一対のメインフレーム４１ａ，４１ｂは、機体フレーム２の前端側の右端部に位置する箇所に備えられている。左右一対の縦フレーム４２ａ，４２ｂのうち、刈取前処理部１０が位置する側に位置する前処理部側の縦フレーム４２ａは、左側のメインフレーム４１ａの前端から後方に離れた箇所に立設されている。左右一対の縦フレーム４２ａ，４２ｂのうち、刈取前処理部１０が位置する側とは反対側に位置する反前処理部側の縦フレーム４２ｂは、右側のメインフレーム４１ｂの前端部に立設されている。板フレーム４３は、左右一対のメインフレーム４１ａ，４１ｂの前端部、および反前処理部側の縦フレーム４２ｂに連結されている。上フレーム４４は、運転部１０の前端部に走行機体横向きに位置する横向きフレーム部４４ａと、運転部１０の乗降口側とは反対側の横側部に走行機体前後向きに位置する前後向きフレーム部４４ｂとを備えている。上フレーム４４の横向きフレーム部４４ａは、反前処理部側の縦フレーム４２ｂおよび板フレーム４３の上端側に連結されている。上フレーム４４の前後向きフレーム部４４ｂの後端部は、機体フレーム２から延出した支柱フレーム４６の上端部に連結されている。パネル支持フレーム４５は、上フレーム４４の横向きフレーム部４４ａと、前処理部側の縦フレーム４２ａの上端部と、支柱フレーム４６の上端部とに連結されている。
【００４１】
支柱フレーム４６は、機体フレーム２に前処理部フレーム１１を上下揺動自在に支持するよう設けた左右一対の支持部２ａ，２ａの一方から運転部２０に向けて延出されている。左右一対の支持部２ａ，２ａは、上端部において連結部材２ｂによって連結されている。
【００４２】
図１３は、運転部２０を示す平面図である。図１４は、運転部２０の前部を示す右側面図である。図１６は、運転部を示す斜視図である。図１７は、運転部２０の前部を示す左側面図である。これらの図に示すように、運転部２０は、前記運転座席２１を備える他、運転座席２１の前方に設けた操縦塔２２を備え、運転座席２１と操縦塔２２の間に位置する床板２３を備え、運転座席２１の横側方に設けた横運転パネル２４を備え、操縦塔２２の上端側に設けた固定ハンドル２５を備えている。
【００４３】
床板２３は、左右一対のメインフレーム４１ａ，４１ｂに取り付けられている。横運転パネル２４は、上フレーム４４の前後向きフレーム部４４ｂ、およびパネル支持フレーム４５に支持されている。
【００４４】
図１５は、操縦塔２２を示す縦断正面図である。この図及び図１０〜１４に示すように、操縦塔２２は、反前処理部側の縦フレーム４２ｂ、および板フレーム４３を備える他、操縦塔２２の表面側に設けた合成樹脂製の前カバー２６、操縦塔２２の上端部に設けた前用の運転パネル２７を備えて構成してある。
【００４５】
図１４，１５，１７に示すように、前用の運転パネル２７は、これのほぼ全周囲にわたって設けた折り曲げ端部２７ａを備えている。前用の運転パネル２７は、折り曲げ端部２７ａが前カバー２６の上端部の外面側を囲うように前カバー２６の上端部に被さった組み付け姿勢で組み付けられており、前カバー２６の内側に対する浸水などを防止する。
【００４６】
図１４〜１７に示すように、前カバー２６は、板フレーム４３の前方に位置する前面部２６ａと、左右一対の横側面部２６ｂ，２６ｂとを備え、左右一対の横側面部２６ｂ，２６ｂによって板フレーム４３を挟持する組み付け姿勢で組み付けられる。前カバー２６の上端側は、板フレーム４３に付設したメネジ部材５０と、運転パネル２７の折り曲げ端部２７ａおよび前カバー２６の横側面部２６ｂに設けたネジ孔とに装着された連結ボルト５１による締め付けによって脱着自在に取り付けられている。連結ボルト５１は、これの端部に一体回転自在に付設された円形の操作ノブ５１ａを備えている。前カバー２６の下端側は、横側面部２６ｂに設けたピン孔により、板フレーム４３に設けた支持ピン５２に係止させることによって脱着自在に止着されている。前カバー２６の下端側と支持ピン５２とは、前カバー２６の弾性復元力によって係合状態に維持される。すなわち、前カバー２６が操縦塔２２に組み付けられると、左右一対の横側面部２６ｂ，２６ｂで板フレーム４３を挟持することにより、前カバー２６に弾性変形が発生して前カバー２６が弾性復元力を備え、この弾性復元力が前カバー２６の横側面部２６ｂを板フレーム４３に押し付けて横側面部２６ｂと支持ピン５２とを係合状態に維持する。左右の支持ピン５２は、板フレーム４３の下端部に取り付けた一本のロッドによって構成されている。
【００４７】
図１２，１３，１４，１５に示すように、固定ハンドル２５は、反前処理部側の縦フレーム４２ｂとの一体部品に構成されている。固定ハンドル２５は、操縦塔２２の上端側の機体横外側端部すなわち乗降口側の端部から機体内方向きに運転パネル２７の上方に、運転パネル２７の走行機体横方向での中間部の上方まで延出されている。固定ハンドル２５は、延出端側では支持されず、基端側だけで支持された片持ち支持の状態で構成されており、運転パネル２７に設けてあるキースイッチ５５、警告灯５６、計器盤５７を操作するあるいは見る際の障害物になりにくくなっている。固定ハンドル２５は、走行機体の操向操作および刈取前処理部１０の昇降操作を行う操作レバー５８の後側近くに位置しており、操作レバー５８を操作する手を載せて安定化させる支持台に利用することができる。
【００４８】
図１０，１１，１３，１６，１７に示すように、前処理部側の縦フレーム４２ａを反前処理部側の縦フレーム４２ｂよりも走行機体後方側に配置して、前処理部側の縦フレーム４２ａの前方で、かつ反前処理部側の縦フレーム４２ｂの横側方に位置する箇所に右側の掻き寄せ無端ベルト１７ｂの係止アーム１７ｃおよび右側の掻き込み輪体１６ｂの掻き込み爪１６ｃの先端側が入り込むスペースＳを形成してある。前カバー２６の下端側の刈取前処理部１０に対向する側における角部の外面側に前記スペースＳに入り込んだ凹入部２６ｃを設けてある。
【００４９】
図５は、刈取前処理部１０が下降作業位置から上昇非作業位置に向けて上昇した状態における刈取前処理部１０と運転部２０の位置関係を示している。図１７に示す軌跡Ｔ１は、刈取前処理部１０が下降作業位置と上昇非作業位置とに昇降される際、右側の掻き寄せ無端ベルト１７ｂの係止アーム１７ｃの先端が描く軌跡である。図１７に示す軌跡Ｔ２は、刈取前処理部１０が下降作業位置と上昇非作業位置とに昇降される際、右側の掻き込み輪体１６ｂの掻き込み爪１６ｃの先端が描く軌跡である。図１７に二点鎖線で示す右側の掻き寄せ無端ベルト１７ｂおよび右側の掻き込み輪体１６ｂは、刈取前処理部１０が下降作業位置から上昇された際の配置高さに位置したものである。これらの図に示すように、刈取前処理部１０が下降作業位置から上昇された状態において、右側の掻き寄せ無端ベルト１７ｂの係止アーム１７ｃの先端側および右側の掻き込み輪体１６ｂの掻き込み爪１６ｃの先端側が、前処理部側の縦フレーム４２ａの前方で、かつ反前処理部側の縦フレーム４２ｂの横側方に位置する箇所であって、前カバー２６の凹入部２６ｃに入り込む状態で刈取前処理部１０を走行機体に連結してある。
【００５０】
つまり、刈取前処理部１０が下降作業位置と上昇非作業位置とに昇降する際、右側の掻き寄せ無端ベルト１７ｂの係止アーム１７ｃの先端側および右側の掻き込み輪体１６ｂの掻き込み爪１６ｃの先端側が、前処理部側の縦フレーム４２ａの前方で、かつ反前処理部側の縦フレーム４２ｂの横側方に位置する箇所を通過する状態に刈取前処理部１０を走行機体に寄せて連結してある。
【００５１】
図５，１０，１３に示すように、上フレーム４４における前後向きフレーム部４４ｂの前端部４４ｃを、前端側ほど刈取前処理部１０が位置する側とは反対側に寄った傾斜状態で構成し、横運転パネル２４の前端部２４ａを、刈取前処理部側の横端縁が前端側ほど刈取前処理部側とは反対側に寄った前細り状態で構成して、横運転パネル２４の前端部２４ａの横側に供給装置１８の搬送始端側が入り込むスペースを形成してある。
つまり、刈取前処理部１０は、下降作業位置と上昇非行位置とに昇降する際、供給装置１８の搬送始端側が運転部１０の横付近を通過する状態で走行機体に連結されている。
【産業上の利用可能性】
【００５２】
本発明は、前カバー２６を装備したコンバインの他、前カバー２６を装備しないコンバインにも利用できる。
【００５３】
本発明は、上記した実施の形態の如く右側の掻き寄せ無端ベルト１７ｂおよび右側の掻き込み輪体１６ｂが運転部２０の付近に位置したコンバインの他、掻き寄せ無端ベルト１７ｂおよび掻き込み輪体１６ｂ以外の各種の刈取前処理部１０の部材が運転部２０の付近に位置したコンバインにも利用できる。したがって、右側の掻き寄せ無端ベルト１７ｂの係止アーム１７ｃおよび右側の掻き込み輪体１６ｂの掻き込み爪１６ｃなどを総称して刈取前処理部１０の一部分１７ｃ，１６ｃと呼称する。
【符号の説明】
【００５４】
１０            刈取前処理部
１６ｃ，１７ｃ  刈取前処理部の一部分
２０            運転部
２２            操縦塔
２６            前カバー
２６ｃ          前カバーの凹入部
２７            運転パネル
４２ａ          前処理部側の縦フレーム
４２ｂ          反前処理部側の縦フレーム
【図１】
2010263853.tif 000003
【図２】
2010263853.tif 000004
【図３】
2010263853.tif 000005
【図４】
2010263853.tif 000006
【図５】
2010263853.tif 000007
【図６】
2010263853.tif 000008
【図７】
2010263853.tif 000009
【図８】
2010263853.tif 000010
【図９】
2010263853.tif 000011
【図１０】
2010263853.tif 000012
【図１１】
2010263853.tif 000013
【図１２】
2010263853.tif 000014
【図１３】
2010263853.tif 000015
【図１４】
2010263853.tif 000016
【図１５】
2010263853.tif 000017
【図１６】
2010263853.tif 000018
【図１７】
2010263853.tif 000019